(57)【要約】【課題】  切断部分に薄刃体を採用する草刈刃を備えた除草具において、草刈刃自体を薄く構成でき、且つ草刈り作業を安全に且つ効率良く行うことができるようにする。【解決手段】柄（持手柄２、長柄３）の先端に草刈刃１を装着した除草具において、凹凸形状の縁辺に刃部１２１を形成した単数又は複数の薄刃体１２を、薄基板１１上に前記刃部１２１が薄基板１１の側縁１１１から突出するように固着して形成した草刈刃１を、前記の突出する刃部１２１が柄の延長方向の左右側辺の一方又は双方に位置するように、柄に装着してなる。【選択図】図１
2017093382.tif 000002
【特許請求の範囲】
【請求項１】
柄先端に草刈刃を装着した除草具において、凹凸形状の縁辺に刃部を形成した単数又は複数の薄刃体を、薄基板上に前記刃部が薄基板側縁から突出するように固着して形成した草刈刃を、前記の突出する刃部が柄の延長方向の左右側辺の一方又は双方に位置するように、柄に装着してなることを特徴とする除草具。
【請求項２】
薄刃体の固着手段が、薄基板と薄刃体との間に両面粘着テープを介在させて粘着したものである請求項１記載の除草具。
【請求項３】
薄刃体の固着手段が、薄基板と薄刃体を覆うように保護テープを貼着したものである請求項１記載の除草具。
【請求項４】
保護テープが金属テープである請求項３記載の除草具。
【請求項５】
薄基板に薄刃体の位置決め手段を設けてなる請求項３記載の除草具。
【請求項６】
薄刃体の位置決め手段が、薄刃体に設けた小透孔と薄基板に設けた突起の組み合わせである請求項５記載の除草具。
【請求項７】
薄刃体の位置決め手段が、薄基板に薄刃体が載置される凹部を設け、当該凹部に薄刃体を位置させる請求項５記載の除草具。
【請求項８】
薄刃体の位置決め手段が、薄刃体を薄基板に接着剤で貼着する請求項５乃至７記載の何れかの除草具。
【請求項９】
薄刃体を薄基板の左右側縁に設けてなる請求項１乃至８記載の何れかの除草具。
【請求項１０】
薄刃体を薄基板の左右側縁に設けると共に、一方縁には引切刃部を備え、他方縁には押切刃部を設けてなる請求項９記載の除草具。
【請求項１１】
薄刃体が、左右辺を山形形状に形成すると共に、左方辺に引切刃部を設け、右方辺に押切刃部を設けてなり、薄刃体を薄基板の左右辺に配置してなる請求項１０記載の除草具。
【請求項１２】
柄が手持ち操作可能である短い持手柄である請求項１乃至１１記載の何れかの除草具。
【請求項１３】
柄が立ち姿勢作業可能な長柄である請求項１乃至１１記載の何れかの除草具。
【請求項１４】
持手柄に長柄を連結接続してなる請求項１乃至１１記載の何れかの除草具。
【請求項１５】
薄基板を細長薄鋼板で形成して、草刈刃が表裏方向に適宜な撓り特性を備えてなる請求項１３又は１４記載の何れかの除草具。
【請求項１６】
草刈刃を柄先端に装着する刃装着部が、草刈刃の表裏方向で適宜な撓り特性を備えてなる請求項１３乃至１５記載の何れかの除草具。
【発明の詳細な説明】
【技術分野】
【０００１】
本発明は、除草具に関するものである。
【背景技術】
【０００２】
特許文献１，２に開示されているように、除草具の刃体に薄刃体（カッター刃やかみそり刃のような薄刃体）を採用すると、例えば芝草のような細い茎を切除する除草が容易に行える。また替刃構成とすると、刃体が摩耗すると取り替えることで、常に所定の切れ味を維持できるものである。
【０００３】
また前記の立ち姿勢で作業が可能な長柄を備えた除草器具としては、前記特許文献２及び特許文献３に開示されているように、鍬のように使用する器具や、特許文献４に開示されているように長柄を傾斜させた状態で鎌刃体が水平になるように装着された器具が知られている。
【先行技術文献】
【特許文献】
【０００４】
【特許文献１】特開２００２−２５３０１８号公報。
【特許文献２】実開平５−７０２２３号公報。
【特許文献３】特開平９−１２１６０１号公報。
【特許文献４】登録実用新案３１０３７０１号公報。
【発明の概要】
【発明が解決しようとする課題】
【０００５】
カッター刃のような薄刃体を採用した除草具においては、薄刃体が容易に折損しないように、挟圧部材で挟む構造の刃体が採用されているが（特許文献１，２）、挟持構造を採用すると挟圧のための構造部（ヒンジ構造や保持ネジ）が必要になり、刃体全体が厚くなってしまい、薄刃体を採用した利点が殺されてしまう。
【０００６】
また前記した従前器具では、草刈り作業が立姿勢で、鍬や鎌のように使用して草刈りを行うものであるが、芝のような短く刈り込む場合や、細い雑草の草刈りに際しては、鎌のように手前に引いて草刈り作業となる。このため茎の太い雑草の切除に際しては大きな力が必要となり危険であると共に、このように作業方向が限定されると必ずしも効率的な草刈りが行われない。また薄刃体が直刃であるために、太い茎などの切除が効果的に行うことができない。
【０００７】
そこで本発明は、薄刃体を採用しても刃体自体を薄く構成でき、草刈り作業を安全に且つ効率良く行うことができる新規な除草具を提案したものである。
【課題を解決するための手段】
【０００８】
本発明の請求項１記載に係る除草具は、柄先端に草刈刃を装着した除草具において、凹凸形状の縁辺に刃部を形成した単数又は複数の薄刃体を、薄基板上に前記刃部が薄基板側縁から突出するように固着して形成した草刈刃を、前記の突出する刃部が柄の延長方向の左右側辺の一方又は双方に位置するように、柄に装着してなることを特徴とするものである。
【０００９】
しかして上記除草具は、草刈刃の側辺に突出した薄刃体の刃部で地面上を薙ぐようにして操作することで、所定の雑草切除が実施されるもので、鎌のように刃を身体側に向けて引き込むようにしないので安全であり、且つ前記刃部が凹凸形状（例えば三角形状や波形形状等）に形成しているものであるから、例えば太い茎に対しては刃部が連続して切り込むことになり効率的な雑草の切除が可能となるものである。
【００１０】
また本発明の請求項２記載に係る除草具は、特に薄刃体の固着手段として、薄基板と薄刃体との間に両面粘着テープを介在させて粘着したものであり、請求項３記載の除草具は、薄刃体の固着手段として、薄基板と薄刃体を覆うように保護テープを貼着してなるものである。
【００１１】
而して前記の草刈刃は、薄基板と薄刃体とテープ体（両面粘着テープ又は表面保護テープ）の積層構造となり、充分な強度を備えると共に、全体として薄く形成される。また粘着テープを採用しているので粘着テープとして両面粘着テープを採用している場合には薄刃体を剥離することで、或いは保護テープを採用している場合は保護テープを剥離することで、薄刃体の交換を容易に行うことができる。
【００１２】
また本発明の請求項９及び請求項１０記載に係る除草具は、特に薄刃体を薄基板の左右側縁に設け、一方縁には引切刃部を備え、他方縁には押切刃部を設けてなるもので、器具の押し引きの両操作で雑草切除が可能となる。
【００１３】
更に本発明の請求項１１記載に係る除草具は、特に前記の両側辺に刃部を設ける際に、薄刃体を左右辺が山形形状となるように形成すると共に、左方辺に引切刃部を設け、右方辺に押切刃部を設けてなり、前記薄刃体を薄基板の左右辺に配置することで、単一部材の薄刃体で左右辺の引切刃部及び押切刃部を形成することができ、刃部が摩耗した際には左右の薄刃体を取り替えることで対応できる。
【００１４】
また本発明の請求項１３，１４記載に係る除草具は、長柄備えるものであり、立ち姿勢によって除草作業を行うことができるものである。
【００１５】
特に請求項１５，１６記載の除草具は、前記の長柄を備えた器具において、薄基板を細長薄鋼板で形成して、草刈り刃体が表裏方向に適宜な撓り特性を備えさせ、または草刈刃を柄先端に装着する草刈刃装着部が、草刈体の表裏方向で適宜な撓り特性を備えさせるもので、作業者が立ち姿勢で除草対象の地表面に対して草刈刃を押し付けると、草刈刃又は草刈刃装着部が有する弾性（撓り特性）で撓んで、草刈刃が地表面と当接して、地表の雑草を短く切除できるものである。
【発明の効果】
【００１６】
本発明の構成は上記のとおりの除草具で、三角形状の縁辺に刃部を形成した薄刃体を採用した草刈刃を備えたもので、安全に且つ効率的に草刈り作業を良く行うことができたものである。
【図面の簡単な説明】
【００１７】
【図１】本発明の第一実施形態（第一実施例）の説明斜視図。
【図２】同使用状態の説明図。
【図３】同第二実施形態（第二実施例）の説明図。
【図４】同草刈刃の断面図。
【図５】同薄刃体の別例（第三実施例）の説明図。
【発明を実施するための形態】
【００１８】
次に本発明の実施形態について説明する。図１，２は薄刃体の固着手段として両面粘着テープを採用した第一実施形態に示し、図３乃至５は同固着手段として表面保護テープを採用した第二実施形態である。
【００１９】
第一実施形態（第一実施例）は、草刈刃１と持手柄２と長柄３で構成される。
【００２０】
草刈刃１は、薄基板１１と、薄刃体１２と、両面粘着テープ１３で構成され、薄基板１１は、所定の強度を備える程度の適宜な厚み（０．５ｍｍ以上）の細長薄鋼板（工具鋼製）で、例えば長さ２０〜５０ｃｍ、幅５〜１５ｃｍ程度とするものである。
【００２１】
薄刃体１２は、０．２〜０．９ｍｍ厚の鋼板で、一辺を山形状に形成し、当該山形部分には、刃部１２１を設けてなるもので、薄基板１１の所定位置に両面粘着テープ１３を貼着し、当該両面粘着テープ１３の箇所に、刃部１２１が薄基板１１の側辺１１１から突出するように連続して貼着して薄基板１１に固定するものである。
【００２２】
持手柄２は、除草具を把持できる程度の長さを備え、先部に前記草刈刃１を装着する刃適宜な構造の刃装着部２１を設けて草刈切１を装着してなり、基部には、長柄３との柄連結部（例えば貫通孔）２２を設けたものである。
【００２３】
長柄３は、木製柄または金属パイプ柄、樹脂パイプ柄等任意のものを採用できるもので、先端部には、柄連結部２２と対応する構造の接続部３１を設けてなる。
【００２４】
而して前記の除草具は、草刈刃１で地面上を薙ぐようにして操作すると、薄基板１１の側辺１１１から突出した三角形状の刃部１２１で、雑草Ａの生え際から切除するもので、例え太い茎の雑草でも、草刈刃１を適宜前後操作を繰り返すことで容易に切除する事ができるものである。
【００２５】
また前記の除草具は、長柄３を連結しない状態では持手柄２を把持し、長柄３を連結した状態では長柄３を保持して使用するものである。
【００２６】
特に長柄３を保持して立ち姿勢で作業する際には、前記の草刈刃１のように薄基板１１が薄鋼板で形成されているものを使用することで、草刈刃１自体の弾性（撓り特性）によって草刈刃１が撓り、草刈刃１が地表面に密着して、雑草Ａを短く切除することができる。また草刈刃１に撓り機能が付与されていない場合には、草刈刃１を持手柄２の先端に装着する刃装着部２１に、草刈刃１の表裏方向で適宜な撓り特性を備えることで同様の機能を発揮させることができる。
【００２７】
また草刈刃１は、薄刃体１２を両面粘着テープ１３で薄基板１１に粘着固定しているものであるから。薄刃体１２を剥離して交換することも容易に行うことができる。
【００２８】
次に固着手段として表面に保護テープを採用した第二実施形態について説明する。図３，４に示したのは第二実施例で、草刈刃１ａは、前記第一実施例と同様の細長薄鋼板で形成したもので、基端にコミ部１１２を設けると共に、左右の側辺１１１の近傍に、所定間隔の突起１１３を設けてなるものである。
【００２９】
薄刃体１２ａは、第一実施例のものと同様の薄鋼板製で、一辺を山形状に形成し、当該山形部分に刃部１２１を設けてなり、更に前記突起１１３と対応する小透孔１２２を設けてなる。この突起１１３と小透孔１２２の形成位置は、突起１１３に小透孔１２２を外嵌合した際に、薄基板１１の側辺１１１から山形部分のみが突出するようにしたものである。
【００３０】
そして前記薄刃体１２ａを適宜な接着剤を使用して、且つ突起１１３と小透孔１２２の組み合わせによる位置決めを行う。尚前記の突起１１３と小透孔１２２の組み合わせのみで接着剤を使用しないで位置決めしたり、突起１１３と小透孔１２２の組み合わせに替えて、薄基板１１に薄刃体１２ａにおける薄基板１１の側辺１１１から突出部分を除いた形状の浅い凹部を形成し、当該凹部に薄刃体１２ａを嵌合載置するようにしても良い。
【００３１】
所定の位置決めして薄基板１１ａの上面に薄刃体１２ａを配置し、その上面全体を覆うように金属テープ１３ａを貼着する。この金属テープ１３ａは、既存のステンレス粘着テープやアルミ粘着テープを採用しても良いし、前記上面全体に接着剤を塗布して非粘着金属テープを貼着しても良い。更には金属テープに替えてプラスチックテープ、ガムテープなどを採用しても良い。
【００３２】
持手柄２ａは、前記草刈刃１ａをその先端に装着するもので、薄基板１１のコミ部１１２を持手柄２ａに挿入固着するものであり、基部に柄装着部（図示せず）を設けているものである。また長柄３は、第一実施例と同様である。
【００３３】
而して前記の除草具は、第一実施例と同様に、長柄３を使用しない状態でも、また長柄３を接続した状態でも使用できるものであり、草刈刃１ａの左右の側辺１１１に三角形状に突出した刃部１２１を備えているので、両側辺いずれでも除草対象の地表面に対して草刈刃１ａを押し付けて地面上を薙ぐようにして前後に操作することで除草を実現できる。
【００３４】
特に第二実施形態のように草刈刃１を、薄基板１１ａと薄刃体１２ａと金属テープ１３ａの積層構造を採用すると、充分な強度を備えると共に、全体として薄く形成され、金属テープ１３ａを剥離で、薄刃体１２ａの交換も可能である。
【００３５】
図５は前記第二実施例において、薄刃体１２ｂを変更したものである。この薄刃体１２ｂは、左右辺を山形状に形成し、左辺においては、基側斜辺に刃部（引切刃部）１２１ａを形成し、右辺においては先側斜辺に刃部（押切刃部）１２１ｂを設けたものである。
【００３６】
また左右中心線近傍には、突起１１３と対応する小透孔１２２を設けてなり、突起１１３に小透孔１２２を外嵌合して薄刃体１２ｂの位置決めを行った際に、薄基板１１の左右側辺１１１から山形部分のみが突出するようにし、且つ左側刃部（引切刃部）１２１ａが２０〜４５度の先方傾斜辺となり、右側刃部（押切刃部）１２１ｂが直角辺となるように、予め薄刃体１２ｂの形状を設定しておくものである。
【００３７】
そして前記薄刃体１２ｂを適宜な接着剤を使用して、且つ突起１１３と小透孔１２２の組み合わせによる位置決めを行い、その上面全体を覆うように金属テープ１３ａを貼着して草刈刃１ｂとするものである。
【００３８】
この草刈刃１ｂを使用した器具は、除草対象の地表面に対して草刈刃１を押し付けて地面上を薙ぐようにして操作すると、手前側に引くとき並びに押す際に、それぞれ引切刃部１２１ａ又は押切刃部１２１ｂによって、雑草Ａを地表面近くで切除するものである。特に左右辺に使用する薄刃体１２ｂを共通させることができ、刃部１２１ａ，ｂが消耗した際には、左右の薄刃体１２ｂを交換して装着することで対応できるものである。
【符号の説明】
【００３９】
１，１ａ，１ｂ  草刈刃
１１，１１ａ    薄基板
１１１    側辺
１１２    コミ部
１１３    突起
１２，１２ａ，１２ｂ  薄刃体
１２１    刃部
１２１ａ  引切刃部（左側刃部）
１２１ｂ  押切刃部（右側刃部）
１２２    小透孔
１３      両面粘着テープ
１３ａ    金属テープ
２，２ａ    持手柄
２１      刃装着部
２２      柄連結部
３        長柄
３１      接続部
【図１】
2017093382.tif 000003
【図２】
2017093382.tif 000004
【図３】
2017093382.tif 000005
【図４】
2017093382.tif 000006
【図５】
2017093382.tif 000007